(57)【要約】      （修正有）【課題】ウエットスーツの首回りのバリアパーツと背中のファスナーとの開閉を連動させて、脱着衣しやすく、操作が簡便な、連動開閉具を提供する。【解決手段】首回りにバリアパーツ３を備えたファスナー４付きのウエットスーツ１において、バリアパーツ３の上部に固着した紐６をファスナー４のスライダー４１の引手４２の透孔に摺動自在に貫通させ、紐６の下端を操作テープ５（開閉用把持テープ）に固着した構成のウエットスーツのバリアパーツとファスナーの連動開閉具である。紐６とスライダー４１とは固着していないが、スライダーの引手の回動と透孔を利用して、バリアパーツ３とファスナー４との開閉をワンストロークで連動させる。【選択図】図１
0003219939.tif 000002
【実用新案登録請求の範囲】
【請求項１】
首回りにバリアパーツを備えたファスナー付きのウエットスーツにおいて、バリアパーツの上部に固着した紐をファスナーのスライダーの引手の透孔に摺動自在に貫通させ、下端を操作テープに固着したことを特徴とするウエットスーツのバリアパーツとファスナーの連動開閉具。
【請求項２】
首回り縁の内側にバリアパーツを設けかつ首回り縁から下方に本体背部を開閉するファスナーを設けたウエットスーツにおいて、前記バリアパーツの背面上端に紐を連結するともにその紐をファスナーのスライダーの可動な引手に設けた透孔に摺動自在に貫通させ、前記透孔を通過したその紐の下端に前記透孔の抜け防止のストッパーとなる操作テープを設けたことを特徴とするウエットスーツのバリアパーツとファスナーの連動開閉具。
【請求項３】
首回り縁の内側裏面にバリアパーツを設け、前記首回り縁から下方に向けて本体上半身の背中面にはスライダーで開閉するファスナーを設けて、そのファスナーの開閉によって身体全体を出し入れして脱ぎ着をするウエットスーツにおいて、前記バリアパーツの背面上端に基片を付設してループ状テープを設け、前記ループ状テープに紐を摺動自在に通して、その紐をファスナーのスライダーの可動な引手に設けた透孔に摺動自在に貫通させて、その紐の下端に少なくとも前記透孔よりも幅広の抜け防止のストッパーとなるテープ及び又は操作テープを設けたことを特徴とするウエットスーツのバリアパーツとファスナーの連動開閉具。
【請求項４】
紐の取付部を設けた基片と紐に連結した操作テープとからなり、首回り縁の内側にバリアパーツを設けかつ首回り縁から下方に本体背部を開閉するファスナーを設けたウエットスーツの前記バリアパーツの背面上端に、前記紐の取付部を設けた基片を付設し、前記紐に連結した操作テープのその紐を、ウエットスーツのファスナーのスライダーの１８０度可動な引手に設けた透孔に差し込み摺動自在に貫通させて、前記基片に付設した紐の取付部にその紐を通して連結して構成するウエットスーツのバリアパーツとファスナーの連動開閉具。
【請求項５】
前記紐は、バリアパーツと操作テープとを繋ぐもので、一本の紐又は環状とした紐であって、一本の紐は、バリアパーツの背面上端に設けたループ状テープに固着され、ファスナーのスライダーの可動な引手に設けた透孔に摺動自在に貫通させて操作テープに連結し、環状にした紐は、バリアパーツの背面上端に設けたループ状テープを通って左右から垂れて、左右の紐をまとめてファスナーのスライダーの可動な引手に設けた透孔に摺動自在に貫通させて、その紐の下端に前記透孔を抜け出ない大きさの操作テープを連結した請求項１〜請求項４のいずれかに記載のウエットスーツのバリアパーツとファスナーの連動開閉具。
【考案の詳細な説明】
【技術分野】
【０００１】
本考案は、ウエットスーツを着るときや脱ぐときに、ファスナーの上げ下げで、首回りのバリアパーツも連動するウエットスーツのバリアパーツとファスナーの連動開閉具に関する。
【背景技術】
【０００２】
ウエットスーツは、一般に、前開き、背面開きの形態で上下方向にスライドファスナーを設けて身体全体を出し入れするための開口部を設けている。
【０００３】
又、スライドファスナーを設けたウエットスーツは、首回りに水密性を図った構造と素材のバリアパーツを設けて、首回りからの浸水を防いでいる。
バリアパーツは、伸縮性の高い素材で、首回りに密着して防水する部分布地で、内側に装着される。
【０００４】
首回りにバリアパーツを設けたファスナー付のウエットスーツは、防水性は高まるが、バリアパーツが単体で独立した立襟になっているものは、これを着るとき或いは脱ぐときには、ファスナーの取り扱いに関する課題や要望がある。
（１）背面のファスナーの上げ下げをスムースに行いたい。
（２）バリアパーツが首にまとわり付いて、脱ぎにくい。
（３）ファスナーを下してウエットスーツの背中を開いても、バリアパーツが首に付いていて、バリアパーツを剥がし脱ぎながら、ウエットスーツを脱いでゆくので手間がかる。
（４）ウエットスーツを着るときは、バリアパーツが折れてウエットスーツの内側に巻き込む状態になることがあり、これを直して首回りに当接させるために手間がかかることがある。
このような課題に対し、その解決のために以下のような特許文献１〜３が開示されている。
【先行技術文献】
【特許文献】
【０００５】
【特許文献１】登録実用新案第３１５５７０３号「スライドファスナーのスライダー上げ下げ補助具」
【特許文献２】登録実用新案第３１９３２３６号「背面ファスナー開閉補助具」
【特許文献３】登録実用新案第３１００２０８号「ウエットスーツ」
【０００６】
特許文献１は、ファスナーの上げ下げを容易にするものとして図６に示すような補助具を開示している。
特許文献２は、紐の両端にクリップを設けた補助具で、そのクリップでスライダーを摘まんで背面ファスナーの開閉を補助する。
特許文献３は、図７に示すように、伸縮性内布としてのバリアパーツを首回りから剥がし離れやすくするために、バリアパーツとファスナーのスライダーを連結固着した操作テープを設けたウエットスーツを提案している。
【０００７】
特許文献１と特許文献２は、いずれも、ファスナーのスライダーに操作紐を連結固着する構成である。
長い操作紐を持って、その上げ下げで、ファスナーの開閉をするものである。
特許文献１と特許文献２は、背中にファスナーがあるウエアのファスナーの開閉に関するもので、スライダーに引っ張り紐を連結して操作をするものである。
但し、常にスライダーに負荷をかけるとファスナー自体に損傷のおそれもでてくるので、紐は、脱着でき、その都度引っ掛けるコンセプトである。
【０００８】
特許文献３は、特許文献１と特許文献２と同様に、背中のファスナーの上げ下げのために、ファスナーのスライダーに紐を固着連結している。
さらに、特許文献３では、スライダーに連結固着した操作紐の他端をバリアパーツに連結固着している構成である。
特許文献１、特許文献２、特許文献３ともに、衣服の背面の下方に位置するスライダーを肩越しに長い操作紐で引っ張りあげて上方に位置移動させる操作と、上方に位置するスライダーを垂れた長い操作紐で引き下ろして下方に位置移動させてファスナーを開く操作は共通している。
【０００９】
さらに特許文献３は、スライダーに連結固着した操作紐を首回りにくる伸縮性内布の中央上端に前記操作紐の先端を固着してある。
この構成では、操作紐はスライダーと内布とは連結されて大きなループ（環）状になっている。
ループ状であるので、長さが相当にないと背側にある操作紐は把持しにくく、操作紐への手の差し伸べや引き上げや引き下げ動作はぎこちなく困難になるので、相当に長い操作紐となっている。
【００１０】
ウエットスーツを着てファスナーを閉じるために引き上げるときは、ループ状の２つ折りの先端部を握って操作紐の両端二点に対し、両方に均等の力を配分し、なるべく垂直方向に引き上げる。
ただし一方のスライダーファスナー側の操作紐を一方的に引き上げてしまうと、表布と内布の上昇が異なって、内布が折れている状況のときは表布がそのままかぶってしまうことがある。
脱ぐときは、２つに折れた操作紐を、ループになって折れた状態のまま握って二点に対して均等の力でなるべく垂直方向に下げる。
ただ、内布上端に連結した側の操作紐を上方から手に取って下へ引いてゆくときは、自ずとその引き方が横にずれる。横にずれると連動はスムースにはできず、ファスナーに負荷がかかることもある。
又、内布上端に連結した側の操作紐を引いたときは、スライダーに固着した側の操作紐が弛むので、連動させるには操作紐の持つ位置を変えて持ち直して連動させていた。
【００１１】
一方、下方から持ちやすいスライダーに連結した側の操作紐を下方から手に取って引き下げると、スライダーが先に開いてゆくので、連動の動きがちぐはぐになることがあった。
スライダー側の操作紐を引くと、スライダーだけが下りてゆくので、握り方と引き下げ方に注意が必要になり、結局数回にわたりループ状の操作紐を持ち直して降ろしてゆくこともある。
特許文献３の、図７にある二点に固着したループ状の操作紐で、この二点に対して夫々に均等適正な力での上下動操作は、容易ではなく、粗雑にはできない。
【００１２】
又、操作紐が二点に固着されてループになって背面にあるので、ウエットスーツを着用したあとに行うスポーツや作業中に、このループが自分の腕やスキューバ用具・運動用具や身体装着品などの何かに引っ掛かることがある。
【００１３】
又、操作紐を常にスライダー固着しているため、スライダーには何らかの負荷が常にかかり、ループになった操作紐では上げ下げの操作時にも、伸縮性内布のみの扱いの時にも動きが伝わりその操作紐が固着されたスライダーにも負荷がかかることが多く、ファスナーの耐久性に影響を与える二点の固着には、気が付きにくい課題があった。
【考案の概要】
【考案が解決しようとする課題】
【００１４】
本考案が解決しようとする課題は、身体が入る開口部を大きくし、その開口部が首回りになるので首に密着して水が浸入しない密着防水性の要請からバリアパーツを備えかつ脱ぎ着しやすい開閉するファスナーを備えたウエットウーツにおいて、バリアパーツとファスナーとを連動させて、着やすく脱ぎやすいウエットスーツを提供することであり、バリアパーツとファスナーとの連動操作においても、操作しやすくして、ファスナーの耐久性を損ねないように改良することである。
【課題を解決するための手段】
【００１５】
本考案は、首回りにバリアパーツを備えたファスナー付きのウエットスーツにおいて、バリアパーツの上部に固着した紐をスライダーの引手の透孔に摺動自在に貫通させ、下端を操作テープに固着した構成からなるウエットスーツのバリアパーツとファスナーの連動開閉具である。
紐は、ウエットスーツとは、バリアパーツの上部一点とのみの固着である。
紐は、環状にした一本の紐、或いは１本の紐である。
【００１６】
本考案は、操作紐の両端をスライダーと内布との二点に連結するものでなく、ウエトスーツにおいて開閉の動きをする操作紐をファスナーとは連結固着することなく、しかもバリアパーツとファスナーが連動して開閉する構成を提供する。
この構成で、ファスナーのスライダーは、紐には連結固着されていないので、常にはファスナーに負荷をかけることはない。
脱着操作時のみにバリアパーツとファスナーの開閉を連動させる。
【００１７】
本考案におけるウエットスーツは、本体首回り縁の内側にバリアパーツを設けかつ首回り縁から下方に本体背面胴部を開閉するファスナーを設けたスタイルのウエットスーツであり、この形態のウエットスーツに適応する。
【００１８】
バリアパーツとファスナーの連動開閉は、バリアパーツの背面上端に紐を連結するともにその紐をファスナーのスライダーの可動な引手に設けた透孔に摺動自在に貫通させ、前記透孔を通過したその紐の下端に前記透孔からの抜け防止用のストッパー及び又は操作テープを設け、操作テープを上げ下げする動作で、連動開閉をする。
紐には、透孔を通過した下端に抜け防止用のストッパー及び又は操作テープを設けているので、着用時には、紐は、バリアパーツの背面上端から垂直に下方に垂れた状態としてファスナーの表面の所定の位置にあって、その下方になる操作テープも垂下している。
【００１９】
前記バリアパーツへの紐の取り付けのため、その背面上端に基片を付設して幅広のループ状テープを少しの高さをもって設けている。
前記ループ状テープに紐を通して垂らしてその左右の紐をまとめてファスナーのスライダーの１８０度可動な引手に設けた透孔に摺動自在に貫通させて、一本の紐を環状にしてその紐の下端に前記透孔を抜け出ない大きさのストッパーを設けている。
この連動開閉具の構成をウエットスーツに後付けするために、止め具付きのループ状テープを設けた基片と、紐に連結した操作テープの部材に分けた構成も提案する、
前記バリアパーツの背面上端に、紐の取付具を設けた基片を付設し、紐に連結した操作テープのその紐をファスナーのスライダーの１８０度可動な引手に設けた透孔に下方から差し込み摺動自在に貫通させて、前記基片に設けたループ状テープにその紐を連結するウエットスーツのバリアパーツとファスナーの連動開閉具となる。
紐の取付具は、開閉する止め具付きのループ状テープや、紐を通して紐を固着するリングや、縫着による取付けができる面などである。
【００２０】
ストッパーは、前記透孔を抜けない大きさのループ状テープでこのループに紐を通して固着した部位を指し、長い操作テープの先端部位がストッパーとなっている。そしてこのストッパーに連結して長い操作テープを設けている。
ストッパーは、紐が前記透孔から抜け出ない止め作用をする部位であるので、市販のプラスチック製のコードストッパーやビーズなどを取り付けても良い。
【００２１】
このような、構成により、操作テープの上げ下げをワンストロークでできるようにして操作テープの動きを紐に伝えて、バリアパーツとファスナーのスライダーをスムースに連動させて、ウエットスーツの着脱を容易にし、かつファスナーへの負荷を少なくしている。
なお、バリアパーツと紐との連結構成は、前記の記述や後述の実施例に限定されるものではない。又、紐と操作テープとの連結も前記の記述や実施例に限定されるものではない。ウエットスーツの縫製技術や公知技術において、２つの部材を連結する手段は種々援用でき、それらを排除するものではない。
【００２２】
紐は、バリアパーツからスライダー引手の透孔を通ってファスナーの表面に添って、操作テープに繋がっていて、途中において腕や異物が入ってしまうような間隙ループを作らない。
【考案の効果】
【００２３】
（１）操作テープ（開閉用把持テープ）に固着した一本の紐を、ファスナーのスライダーの引手の透孔に摺動自在に貫通させて、その紐の先端をバリアパーツの上端に連結した構成であり、操作テープの上げ下げで、バリアパーツの上下動とファスナーの上下動が連動する。
（２）連動することで、バリアパーツのスーツ内への巻き込みが防止でき、両者一緒に自動的に開閉でき、開閉動作がワンストロークでできる。
【００２４】
（３）操作テープは、１本でループにならないので、何かに引っ掛かることはなく、激しい運動をするウエットスーツにおいて、負の機能にならない。
（４）スライダーの引手に紐が連結していないので、スライダーに不要な負荷がかからず、ファスナーの破損を防止でき、耐久性に影響を及ぼさない。
操作テープを持ってファスナーを上げる時に、紐は直上のバリアパーツへ連結しているので、操作テープの引上げ方向が常にほぼ垂直方向になるので、引手にかかる作動の方向が一定で、ファスナーに負荷がかかりにくい。
（５）操作テープの上げ下げ動作は、ワンストロークで、テープを握ったところを持ち変えることなく、連動させることができる。
一本の操作テープでの操作であるので、握り方や引上げ引き下げに注意しなくても、容易に操作できる。
連動する操作が、開閉用に把持する一本の操作テープで、単純で誤操作なくできる効果がある。
【００２５】
（６）操作テープの上げ下げ動作は、中間にスライダー引手の透孔を通過するために、垂直方向の動きをガイドされて、横引きや斜め引きを防止できる。
操作テープの上げ下げ動作の昇降軌道を垂直方向にガイドし制御している。
垂直方向の動きにガイドされるために、連動もスムースになる。
【００２６】
（７）ウエットスーツの着用後は、連動開閉具は、長い１本のテープ状であるので、例えば、ウエットスーツの中に入れ込んで収納することも簡単である。
外に出てもループではないので何かに引っ掛かることもない。
【図面の簡単な説明】
【００２７】
【図１】図１は、本考案に係るウエットスーツのバリアパーツとファスナーの連動開閉具の実施例１で、全体構成の説明のために、ウエットスーツの背面と、ファスナーに取り付けた状態の要部と、連動開閉具の部品と、を示す説明図である。
【図２】図２は、同じく実施例１で、ウエットスーツのバリアパーツとファスナーの連動開閉具の一部省略した要部説明図である。
【図３】図３は、同じく実施例１のウエットスーツの背面斜視図で、途中までファスナーを下した状態の説明図である。
【００２８】
【図４】図４は、本考案のウエットスーツのバリアパーツとファスナーの連動開閉具で使用されるファスナーのスライダーの一例を示す正面図である。スライダーの引手は、透孔があり、１８０度反転可動である。
【図５】図５は、本考案の実施例１であるウエットスーツのバリアパーツとファスナーの連動開閉具の使用の仕方を説明する図面代用写真である。上段がファスナーを開ける作動、下段がファスナーを閉める作動の説明写真である。
【００２９】
【図６】図６は、従来のスライダー上げ下げの補助具を示すもので、登録実用新案第３１５５７０３号「スライドファスナーのスライダー上げ下げ補助具」に開示された従来技術の説明図である。
【図７】図７は、特許文献３登録実用新案第３１００２０８号  「ウエットスーツ」に示された従来技術の説明図である。
【００３０】
【図８】図８は、本考案の実施例２を示すもので、ウエットスーツに後付けするために、紐の取付部（止め具付きのループ状テープ）を設けた基片と、紐に連結した操作テープの部材とに分けた構成の説明図である。
【考案を実施するための最良の形態】
【００３１】
本考案に係るウエットスーツのバリアパーツとファスナーの連動開閉具は、首回りにバリアパーツを備えたファスナー付きのウエットスーツにおいて、バリアパーツの上部に固着した紐をファスナーのスライダーの引手の透孔に摺動自在に貫通させ、下端を操作テープに接続した形態である。
【００３２】
紐は、バリアパーツを首から離し、バリアパーツの巻き込みを防ぎ、ファスナーのスライダーを上下する作動をするが、一本の紐を環状にしてバリアパーツと操作テープとを繋ぎ取り付けることで、捩れることなく連結する。
【実施例１】
【００３３】
次に、本考案に係るウエットスーツのバリアパーツとファスナーの連動開閉具の一実施例を図面に基づいて説明する。
図１〜図５は本考案の実施例の説明図や部分図である。
本考案に係るウエットスーツのバリアパーツとファスナーの連動開閉具の基本構成は、首回りにバリアパーツ３を備えたファスナー４付きのウエットスーツ１において、バリアパーツ３の上部に固着した紐６をファスナー４のスライダー４１の引手４２の透孔４３に摺動自在に貫通させ、下端を操作テープ５（開閉用把持テープ）に固着した構成である。
【００３４】
図１は、ウエットスーツのバリアパーツとファスナーの連動開閉具を示す実施例１の説明図である。
本考案が適用できるウエットスーツ１は、本体首回り縁２の内側にバリアパーツ３を設けかつ首回り縁２から下方に本体１背面３１胴部を開閉するファスナー４を設けたスタイルのウエットスーツである。
身体全体を出し入れする開口部を上端に設けたファスナー４付きのウエットスーツ１で、スーツ内側の裏面に着脱自在に取り付けたフラップやインナーネックなどのバリアパーツ３のある大半のウエットスーツに適用できる。
【００３５】
さらに具体的には、実施例１で示すように、本体１上半身の首回り縁２の内側裏面に着脱自在に取付け或いは本体１上半身の裏面に逢着接合した伸縮性のバリアパーツ３によって、身体全体を出し入れする開口部を上端に形成するとともに、前記開口部はバリアパーツ３の伸縮性素材によって開口径を伸縮できるものであって、上半身の上端首回り縁２はアウターネックとなるものでその上半身の背中３１面にはスライダー４１で開閉する樹脂製のスライドファスナー４を縦方向に略直線状に延伸して設けて、前記開口部の伸縮とスライドファスナー４の開閉によって身体全体を出し入れして脱ぎ着をするウエットスーツに適用する。
【００３６】
前記バリアパーツ３は、背中側の首の部分を覆う扇状の形状布地で、本体襟部と共に開口部を形成して下辺周縁を本体１上半身の裏面に逢着接合したインナーネックである。
バリアパーツ３は首回りに当接して浸水を防ぐ。
脱ぐときは首回りに当たる部分は、伸びて折れて開口部を形成する。
【００３７】
バリアパーツ３は、ウエットスーツ１の種類や体型に応じて首回りを覆う形状は変わるので、オーダーメイドの場合は、着用者に合わせて特に慎重に採寸されて作成される。
バリアパーツ３の素材は、ウエットスーツ生地と同じ構成の生地で、中間のネオプレンゴム層を薄い素材で作成している薄手のウエットスーツ生地である。
バリアパーツ３は、実施例の他に、円錐筒状で首回りを覆う形状布地などや、着脱自在に取り付けるインナーネックなどもあるが、上部をスーツ内側に折り込む形態のものは、本考案を適用できる。
【００３８】
円錐筒状のインナーネックの場合は、下方に引き下げられる構成が必要なので、下辺の周縁の少なくとも一部を本体上半身の裏面に縫着し、少なくとも上方部は縫着しない。上部を折り込めて下方に引き下げられる構成であれば、変形のインナーネックやフラップなどにも適用できる。
【００３９】
ファスナー４の表面形態は、略直線状に限らず、湾曲した略Ｌ状に或いは傾斜した＼状であっても可能である。
実施例のファスナー４は、略３７ｃｍの直線状の樹脂製スライドファスナーである。
【００４０】
実施例１は、図１〜図３に示すように、ウエットスーツ本体１の首回り縁２の内側にバリアパーツ３を設けかつ首回り縁２から下方に本体１背面３１を開閉するファスナー４を設けたウエットスーツ１において、前記バリアパーツ３の上部に紐６を固着連結するともにその紐６をファスナー４のスライダー４１の可動な引手４２に設けた透孔４３に貫通させ、前記透孔４３を通過したその紐６の下端に操作テープ５を連結して設けたものである。
【００４１】
操作テープ５は、前記透孔４３からの抜け防止も兼ねたファスナー開閉の操作のための把持用のナイロン製のテープである。
実施例１では幅１７ｍｍ、長さ３７ｃｍの耐水テープを採用している。
【００４２】
前記バリアパーツ３の背側部上端には、基片３２を付設して幅広のループ状テープ３３を設けている。
基片３２は、幅広のループ状テープ３３を保持固着するもので後付でも付設加工ができる。
幅広のループ状テープ３３は、幅１７ｍｍで、高さ１５ｍｍ、横方向に紐６を通すように設けられる。
幅広に配置することで、紐６の引っ張り力を基布３２全体に負荷して、バリアパーツ３を首から容易に離なす力を得る。
ループ状テープ３３は、ある程度の高さをもって取り付けており、この高さで当接してファスナー４を左右に開いてゆく。
【００４３】
ループ状テープ３３には紐６を摺動自在に固着しないで通して垂らしてその左右の紐６をまとめて、ファスナー４のスライダー４１の可動な引手４２に設けた透孔４３に貫通させている。
実施例１では、紐６は環状になっていて、多少曲がって引いてもループ状テープ３３を偏らずに引っ張ることになる。
左右に垂れた紐６は、まとまって引手４２の透孔４３を貫通して取り付けられる。
図４の部品図は、ファスナー４のスライダー４１を示す正面図であり、１８０度可動な引手４２に数字の８状の透孔４３を設けている。
引手４２は、スライダー４１本体の係止部に１８０度屈折回動するように取り付けられている。
紐６は、この可動な引手４２に設けた透孔４３に差し込み摺動自在に通過している。
図４の透孔４３の形状は一例で、紐６が摺動してスムースに通過する形状であり、円形が基本であるが２個の円を並べた形状や、楕円形などでもよい。
【００４４】
環状にした紐６の下端には前記透孔４３を抜け出ない大きさのループ状（輪）テープ５１を形成している。この部位を紐６が透孔４３から抜け出ないストッパーとしている。
実施例では、長い操作テープ５の先端部を折り曲げてループにして、この孔に紐を通して固着しているので、長い操作テープ５の先端がストッパーになっている。
ストッパーとして、ループ状テープ５１を部品として作成し、これに連結して長い操作テープ５を設けてもよい。
子供用ウエットスーツなど、操作テープが短くても良い製品では、ストッパーとなるテープ及び又は操作テープを設けることは、製品寸法によって選択できる。
【００４５】
因みに、紐６が引手４２の透孔４３を通過した下方の任意の個所に、別にストッパーを設けておくこともできる。
例えば紐６の下方の左右２本の個所をビーズに通すことで、ビーズは抜け防止や、最上まで上げればファスナー４の緩みを止めて不意の開きを防止できるストッパーとなる。
市販のプラスチック製のコードストッパーなども、ストッパーとして装着してもよい。
ファスナーは急激な外圧がかかると開くこともあり、激しい運動が予想されるウエアではストッパーを設けることもできる。
【００４６】
実施例１での紐６は、ループ状テープ３３からストッパーであるループ状テープ５１までの長さを略１３ｃｍとした環状の紐である。
紐６は、環状にするのが好ましいが、１本の丈夫な紐でもよい。
１本の紐については図示していないが、一本の紐では、バリアパーツの背面上端に設けたループ状テープに固着し、ファスナーのスライダーの可動な引手に設けた透孔に摺動自在に貫通させて操作テープに連結する。
紐６の長さと、長い操作テープ５を併せた全長は、略４５〜５０センｃｍになる。
実施例１に示す上記寸法は、あくまで一例で、製品では、ウエットスーツの全長や子供用、日本人用、女性用、などで標準化や個別の採寸に応じた寸法設計がなされる。
【００４７】
このように、実施例１は、操作テープ（＝開閉用把持テープ）５に固着した紐６を、ファスナー４のスライダー４１の引手４２の透孔４３に摺動自在に貫通させて、その紐６の先端をバリアパーツ３の上端に設けたループ状テープ３３に摺動自在に貫通連結した構成である。
スライダー４１の引手４２と紐６とは、透孔４３を通過摺動するだけで、連結固定していない特徴がある。
【００４８】
この構成の連動開閉具の作用を、ウエットスーツの脱着衣と併せて説明する。
図５は、上段にウエットスーツのファスナーを開くときの順番説明図、下段にファスナー４を閉めるときの順番説明図を示すものである。
上段では操作テープ５は下方に向くように引かれ、下段では操作テープ５は上方に向くように引かれている。
【００４９】
ウエットスーツ１に身体を入れ込んで、下半身を入れ、上半身まで着こみ、ファスナー４を閉めるとき（図５の下段）は、操作テープ５の引き上げで、まずスライダー４１の引手４２が反転し、引上げ力で引手４２が上昇し、紐６がバリアパーツ３のループ状テープ３３とスライダー４１の引手４２の間隔がなくなり、引き上げ力がループ状テープ３３に伝わると一緒に上昇して、ファスナー４とバリアパーツ３が一緒に上がり、閉じてゆく。
バリアパーツ３は、その上端を引き上げられるため、ウエットスーツ１内に巻き込まれることなく、上方の正常な位置まで持ち上げられる。
紐６は、スライダー４１の引手４２の透孔４３に摺動自在に貫通させた構成であるので、連動はバリアパーツ３のループ状テープ３３とスライダー４１の引手４２の間隔がなくなった時点、両者がほぼ当接する時点から開始される。
【００５０】
一方、脱ぐとき（図５の上段）は、操作テープ５の引き下げで、紐６の力はスライダー４１をスルーして、まずバリアパーツ３が首から剥がれて下がり、紐６とバリアパーツ３のループ状テープ３３がファスナー４を構成する左右のエレメントの間に割って入り、当接しファスナー４を押し開いてゆく。
ループ状テープ３３は、少しの高さをもって基片３２に付設されているので、
ループ状テープ３３の先端が最高位置からファスナー４を開きはじめ、脱ぎやすい開口になるまで下げられ、バリアパーツ３の先端もその位置まで下がる。
スライダー４１を最低位置まで下降させれば、バリアパーツ３の先端も最下方まで引き下げられる。
【００５１】
実施例１の連動開閉具は、純正品として製品に取り付けることができるのは勿論であるが、簡易な構成であるので、使用中のウエットスーツに後付で加工し取付けることもできる。
図８は、後付用の連動開閉具である実施例２を示すもので、紐の取付部を設けた基片３２と、紐６に連結した操作テープ５の部材とに分けた構成である。
後付はバリアパーツ３の背面３１上端に、ホック等の開閉自在な止め具３４付きのループ状テープ３３等である紐の取付部を設けた基片３２を付設し、次いで紐６に連結した操作テープ５のその紐６を、ウエットスーツのファスナー４のスライダー４１の１８０度可動な引手４２に設けた透孔４３に差し込み摺動自在に貫通させて、前記紐の取付部（基片３２に付設したループ状テープ３３）にその紐６を通して連結して作成する。
後付作業は、はじめに、紐の取付部をバリアパーツ３の所定位置に縫製する。
図８の、止め具３４付きのループ状テープ３３を設けた基片３２を縫製接合する。
紐６に連結した操作テープ５のその紐６を、ウエットスーツ１のファスナー４の引手４２の透孔４３を通して差し込み、止め具３４を開いて紐６を取り付け、止め具３４を閉じれば連動開閉具は完成する。
止め具３４付きのループ状テープ３３は、例えば樹脂製の小さなカラビナやフックリング(開閉する個所がある)の機能と同じであるので、紐を連結する構成は、種々設計変更が可能である。
止め具３４付きのループ状テープ３３は、紐の取付部としての一例である。
【００５２】
つまり、使用中のウエットスーツであっても、バリアパーツ３とファスナー４を備えていれば、紐６と操作テープ５を連結した部材と、紐６を着脱自在に取付けられる基片３２を準備し、バリアパーツ３にその基片３２を接着して取り付けることができれば、そのあとで、紐６と操作テープ５を連結した部材を引手４２の透孔４３を通して差し込み繋げれば連動開閉具を構成する。
スライダー４１の引手４２に孔がないときは、透孔４３の付いた引手４２に交換する。
この２つの部材にしたものは、洗濯をするときなどは、紐６と操作テープ５を連結した部材を取り外しておくこともできる。
【産業上の利用可能性】
【００５３】
本考案のウエットスーツのバリアパーツとファスナーの連動開閉具は、主としてサーフィンやウインドサーフィン等のスポーツ用のウエットスーツに関してのものである。
首回りの防水を必要とし、首回りにインナーネックを備える漁業や潜水作業用のウエアにも利用でき、特に脱着衣しにくい比較的堅牢で厚手の生地のウエアでは利用できる可能性が高い。
従前のウエットスーツにも後付けで加工もできるので、修理加工の技術分野にも利用できる。
【符号の説明】
【００５４】
１      ウエットスーツ(本体)
２      首回り縁
３      バリアパーツ
３１    背面
３２    基片
３３    ループ状テープ
３４    開閉自在な止め具
４      ファスナー
４１    スライダー
４２    引手
４３    透孔
５      操作テープ
５１    ループ状テープ
６      紐
【図１】
0003219939.tif 000003
【図２】
0003219939.tif 000004
【図３】
0003219939.tif 000005
【図４】
0003219939.tif 000006
【図５】
0003219939.tif 000007
【図６】
0003219939.tif 000008
【図７】
0003219939.tif 000009
【図８】
0003219939.tif 000010